(57)【特許請求の範囲】
【請求項１】
読取装置で取得された原稿の画像データを、出力装置用のデータに変換する処理を実行する画像処理装置であって、
画像の色彩値を表す色空間における所定領域内にある色が、前記出力装置の記録剤の１色で出力されるように前記画像データを変更する補正手段を有し、
前記所定領域は、それぞれ濃度が異なる前記１色の複数のパッチが印刷された標本サンプルであって、複数種類の条件で印刷された複数の標本サンプルを、前記読取装置で読み取って得られる前記各パッチの色彩値から定められ、
前記所定領域は、複数の前記標本サンプルにおける各パッチの色彩値が含まれるように定められる
ことを特徴とする画像処理装置。
【請求項２】
請求項１において、
前記所定領域は、前記複数の標本サンプルにおける各パッチの色彩値から求められる、中心線と当該中心線からの幅によって定義される
ことを特徴とする画像処理装置。
【請求項３】
請求項１乃至請求項２のいずれかにおいて、
前記所定領域は、前記色空間における白色の位置の周辺を含まない
ことを特徴とする画像処理装置。
【請求項４】
請求項１乃至請求項３のいずれかにおいて、
前記標本サンプルが印刷される複数種類の条件には、前記標本サンプルの媒体の種類が含まれる
ことを特徴とする画像処理装置。
【請求項５】
請求項１乃至請求項４のいずれかにおいて、
前記補正手段は、前記所定領域外の前記所定領域の周辺に位置する色が、前記１色に近づいた色で出力されるように前記画像データを変更する
ことを特徴とする画像処理装置。
【請求項６】
読取装置で取得された原稿の画像データを、出力装置用のデータに変換する処理を画像処理装置に実行させる画像処理プログラムであって、
画像の色彩値を表す色空間における所定領域内にある色が、前記出力装置の記録剤の１色で出力されるように前記画像データを変更する補正工程を前記画像処理装置に実行させ、
前記所定領域は、それぞれ濃度が異なる前記１色の複数のパッチが印刷された標本サンプルであって、複数種類の条件で印刷された複数の標本サンプルを、前記読取装置で読み取って得られる前記各パッチの色彩値から定められ、
前記所定領域は、複数の前記標本サンプルにおける各パッチの色彩値が含まれるように定められる
ことを特徴とする画像処理プログラム。
【発明の詳細な説明】
【技術分野】
【０００１】
本発明は、複写装置用の画像処理装置等に関し、特に、複数種類の原稿について、１次色で表現される画像が正確に１次色で再現でき、見栄えの良い出力を得ることのできる画像処理装置等に関する。
【背景技術】
【０００２】
複写装置では、原稿の画像を読み取って、当該画像を他の印刷媒体に再現する処理を実行するが、通常、当該処理の中で以下のようなデータ変換処理がなされている。まず、スキャナで取得され、スキャナの色表現形式（例えば、ＲＧＢ形式）で表された原稿の画像データを、Ｌａｂ形式などの絶対的な色彩値を示す表現に変換する処理を行う。その後、当該変換後のデータを、出力装置であるプリンタで使用される記録剤（色材）の色表現形式（例えば、ＣＭＹＫ形式）に変換する処理を実行し、当該データに従って印刷が実行される。そして、上記２回の色変換においては、それぞれ、その装置の特性が反映された当該装置依存の変換テーブルが使用され、正確な色再現を実現しようとしている。
【０００３】
下記特許文献１では、利用者にとってより好ましい色を再現することが可能なカラー印刷用色変換装置について記載され、印刷インクの混合時に濁りが目立つ範囲であって人間の記憶色とのずれの許容範囲内で濁りの少ない側に色相をシフトすること等が開示されている。
【特許文献１】特開平１０−２００７６９号公報
【発明の開示】
【発明が解決しようとする課題】
【０００４】
しかしながら、上述した従来装置では、上記色変換の際に多少の誤差が発生し得る上、装置の経年劣化により色変換特性が変わる可能性もあるため、出力時に原稿の色からずれてしまう可能性がある。すると、原稿において１次色（１色の記録剤）で表現されていた部分に他の色が混ざって出力されることになり、当該部分の色が濁り見栄えを損なうことになってしまう。さらに、読み取る原稿にも、その媒体の種類、印刷方法など様々な条件で印刷がなされたものがあるため、同じ１次色であっても、上記色変換の結果に出力される色はそれぞれ異なったものになる可能性がある。従って、やはり、出力時には１次色が１次色で出力されず、他の色が混ざってしまう場合がある。特に、１次色が黒色や黄色である場合には、その影響が顕著である。
【０００５】
また、上記特許文献１では、色変換技術として濁りの少ない側に色相をシフトすることが示されているが、上記原稿の印刷条件が異なることによる誤差の課題等については具体的に示されておらず、上記の課題解決には十分ではない。
【０００６】
そこで、本発明の目的は、複写装置用の画像処理装置であって、複数種類の原稿について、１次色で表現される画像が正確に１次色で再現でき、見栄えの良い出力を得ることのできる画像処理装置、等を提供することである。
【課題を解決するための手段】
【０００７】
上記の目的を達成するために、本発明の一つの側面は、読取装置で取得された原稿の画像データを、出力装置用のデータに変換する処理を実行する画像処理装置が、画像の色彩値を表す色空間における所定領域内にある色が、前記出力装置の記録剤の１色で出力されるように前記画像データを変更する補正手段を有し、前記所定領域は、それぞれ濃度が異なる前記１色の複数のパッチが印刷された標本サンプルであって、複数種類の条件で印刷された複数の標本サンプルを、前記読取装置で読み取って得られる前記各パッチの色彩値から定められる、ことである。
【０００８】
更に、上記の発明において、好ましい態様は、前記所定領域は、前記複数の標本サンプルにおける各パッチの色彩値が含まれるように定められる、ことを特徴とする。
【０００９】
更に、上記の発明において、一つの態様は、前記所定領域は、前記複数の標本サンプルにおける各パッチの色彩値から求められる、中心線と当該中心線からの幅によって定義される、ことを特徴とする。
【００１０】
更にまた、上記の発明において、好ましい態様は、前記所定領域は、前記色空間における白色の位置の周辺を含まない、ことを特徴とする。
【００１１】
更に、上記の発明において、好ましい態様は、前記標本サンプルが印刷される複数種類の条件には、前記標本サンプルの媒体の種類が含まれる、ことを特徴とする。
【００１２】
更にまた、上記の発明において、好ましい態様は、前記補正手段は、前記所定領域外の前記所定領域の周辺に位置する色が、前記１色に近づいた色で出力されるように前記画像データを変更する、ことを特徴とする。
【００１３】
上記の目的を達成するために、本発明の別の側面は、読取装置で取得された原稿の画像データを、出力装置用のデータに変換する処理を画像処理装置に実行させる画像処理プログラムが、画像の色彩値を表す色空間における所定領域内にある色が、前記出力装置の記録剤の１色で出力されるように前記画像データを変更する補正工程を前記画像処理装置に実行させ、前記所定領域は、それぞれ濃度が異なる前記１色の複数のパッチが印刷された標本サンプルであって、複数種類の条件で印刷された複数の標本サンプルを、前記読取装置で読み取って得られる前記各パッチの色彩値から定められる、ことである。
【００１４】
本発明の更なる目的及び、特徴は、以下に説明する発明の実施の形態から明らかになる。
【発明を実施するための最良の形態】
【００１５】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１６】
図１は、本発明を適用した画像処理装置を備える複写装置の実施の形態例に係る構成図である。図１に示す画像処理部２０が本発明を適用した画像処理装置であり、スキャナ部１０で取得された原稿の画像データをプリンタ部３０用のデータに変換する処理を司るが、各種媒体の標本を読み取ったデータに基づいて、色彩値の色空間における１次色領域を予め定めておき、色変換時において、当該領域に入る色については全て１次色で出力がなされるように補正処理を実行して、原稿で１次色で表されている部分を出力においても正確に１次色で表現し、見栄えの良い複写を実現しようとするものである。
【００１７】
図１に示す本実施の形態例に係る複写装置１は、原稿の読取装置としてのスキャナ部１０、上記画像処理装置としての画像処理部２０、及び出力装置としてのプリンタ部３０を有している。
【００１８】
スキャナ部１０は、図示していないが、原稿の画像を読み取るための機構部と当該機構部を制御すると共に読み取られた画像の画像データを生成する制御部を備えている。制御部で生成される画像データは、画像を構成する各画素が、ＲＧＢ（レッド、グリーン、ブルー）各色の濃度階調値を有しているデータであり、当該データが画像処理部２０にスキャナ入力データとして引き渡される。
【００１９】
次に、画像処理部２０は、前述のように、スキャナ部１０からのスキャナ入力データをプリンタ部３０用のプリンタ出力データに変換する部分であり、図１に示すように、ＣＰＵ２１、ＲＯＭ２２、及びＲＡＭ２３を備えている。ＣＰＵ２１は、上記データ変換の処理を実行する部分であり、具体的には、上記ＲＧＢで表現されたスキャナ入力データを色彩値（Ｌａｂ表色系）のデータとし、その後に、プリンタ部３０で用いられる各記録剤の色であるＣＭＹＫ（シアン、マゼンタ、イエロー、ブラック）のデータに変換する。そして、本画像処理部２０では、このＣＭＹＫのデータ、すなわち、プリンタ出力データに対して補正処理を実行した後にプリンタ部３０に出力する。本画像処理部２０では、この補正処理に特徴を有し、当該処理を含むこれらの色変換処理の具体的な内容については後述する。なお、ＣＰＵ２１が行なうこれらの処理は、ＲＯＭ２２に格納された各種プログラムに従って実行される。
【００２０】
ＲＯＭ２２には、上記プログラムのほかに、上記色変換用の２つの色変換テーブル、及び、上記補正処理用のデータを格納する。色変換テーブルの１つ（色変換テーブル（１））は、上記ＲＧＢで表現されたスキャナ入力データをＬａｂ表色系のデータに変換するためのものであり、ＲＧＢ３次元空間の各グリッド点（ＲＧＢの座標値）に対して対応する色彩値のＬａｂ値が収められている。当該テーブルは、本複写装置１のスキャナ部１０の装置特性に合わせて、原稿の色が正確な色彩値（Ｌａｂ値）として取得されるように作られている。
【００２１】
また、もう一つの色変換テーブル（色変換テーブル（２））は、上記Ｌａｂ値とされた画像データを、ＣＭＹＫ表現の上記プリンタ出力データに変換するためのものであり、Ｌａｂ３次元空間の各グリッド点（Ｌａｂ値）に対して対応するＣＭＹＫ値が収められている。当該テーブルは、本複写装置１のプリンタ部３０の装置特性に合わせて、Ｌａｂ値で表される各色彩がそのまま正確に出力されるように作られている。
【００２２】
また、上記補正処理用のデータは、前述した色彩値の色空間（Ｌａｂ３次元空間）における１次色領域を表す（定義する）データと、補正処理によって変換させる１次色の階調値を示すデータである。当該補正処理用のデータが予め複写装置１に登録され、複写処理時に利用されることが本複写装置１の特徴であり、当該データの生成及び登録の詳細については後述する。
【００２３】
次に、ＲＡＭ２３は、スキャナ部１０から入力されるスキャナ入力データ、上記色変換処理の過程で生成される各データ、上記補正処理後のプリンタ出力データ等を一時的に格納する記憶手段である。
【００２４】
次に、プリンタ部３０は、画像処理部２０から出力される上記補正処理後のプリンタ出力データに基づいて、印刷媒体に対して印刷を実行する部分である。図１には図示していないが、プリンタ部３０には、制御部と機構部が備えられる。制御部は、前記プリンタ出力データを受け取って、当該データによる印刷を機構部へ指示すると共に機構部の各所の動作を制御する。また、機構部には、感光体、帯電ユニット、露光ユニット、現像ユニット、転写ユニット等が設けられ、用紙などの印刷媒体に対して、上記プリンタ出力データに基づく印刷処理を実行する。当該プリンタ部３０からの印刷出力により、前記スキャナ部１０で読み取られた原稿の画像が複写されることになる。
【００２５】
以上説明したような構成を有する本複写装置１では、前述のように、プリンタ出力データについての補正処理に特徴があるが、まず、その補正処理に用いられる前記補正処理用データの内容について説明する。当該複写装置１に対しては、使用前（出荷前）に以下のような作業を行なって上記補正処理用データを用意して、前記ＲＯＭ２２に登録しておく。
【００２６】
まず、上記補正処理を行なう１次色（例えば、黒色や黄色）について、濃度（階調）の異なる当該１次色の複数のパッチ３が印刷されたチャート２を、前記スキャナ部１０でスキャニングする。すなわち、複数のパッチ画像を読み取る。そして、このチャート２は、媒体（用紙）の種類や印刷方法などの印刷条件毎に複数用意され、これら複数のチャート２について上記スキャニングを行なう。例えば、再生紙に印刷されたチャート、一般的な印刷物と同じ条件のチャートなどがスキャニングされる。
【００２７】
図２は、上記チャート２を例示した図である。図２に示すチャート２には、１次色であって、それぞれ、濃度の異なる複数のパッチ３が図に示すように印刷されている。例えば、最も淡い色から最も濃い色までを十数段階に分けて、各段階に対応する濃さのパッチ３が印刷される。このようなチャート２が上述の通り複数用意される。
【００２８】
上記スキャニングの後、スキャナ部１０により、チャート２毎に各パッチ３の前記ＲＧＢデータが生成される。その後、前述した色変換テーブル（１）により、当該ＲＧＢデータがＬａｂのデータに変換される。
【００２９】
その後、当該Ｌａｂデータを取り出して、チャート２毎に各パッチ３のＬａｂ値をＬａｂの３次元色空間にプロットする。なお、各パッチ３のＬａｂ値は、パッチ内の画素が有するＬａｂ値の平均を取るなどの方法により代表値を決定しておく。
【００３０】
図３は、上記補正処理用データを説明するための図である。図３には、上記Ｌａｂの３次元色空間が示され、黒丸、白丸、及び×で示される各点が上述したプロット点である。ここに示す例では、３種類のチャート２について上記スキャニングがなされ、同じしるしで示されるプロット点が同じチャート２のパッチ３によるものである。
【００３１】
次に、チャート２毎に上記プロット点に基づく近似曲線を求める。図３に示す例では、Ｔ１、Ｔ２、及びＴ３がそれに相当する。
【００３２】
また、上記チャート２毎のプロット点から、定めようとしている前記１次色領域Ｓの中心線ＣＬと当該中心線上の各点における当該１次色の階調値を決定する。この決定手法の一例としては、複数のチャート２の（図３の例では３つのチャート２の）、同じ濃度のパッチ３に対する上記プロット点の座標を平均化した座標の点を順次プロットしていき、それらのプロット点を通る近似曲線を取ることによって中止線ＣＬを求める。そして、この中止線ＣＬ上の各プロット点に対して、対応するパッチ３の濃度に相当する階調値を割り付ける。
【００３３】
次に、前述した近似曲線Ｔ１、Ｔ２、及びＴ３について、これら曲線上の距離ｌとＬａｂの各成分の関係を示すグラフを作成する。すなわち、距離ｌとＬ、距離ｌとａ、及び距離ｌとｂの関係を示す３つのグラフを作成する。図４は、距離ｌとａの関係を示すグラフを例示した図である。なお、距離ｌは、上記Ｌａｂの３次元色空間における原点（図３に示すＷＰ（Ｗｈｉｔｅ  Ｐｏｉｎｔ））からの距離を示すものである。
【００３４】
その後、各グラフにおいて、各距離ｌ（ｌ１、ｌ２、ｌ３、・・・ｌｎ）における、Ｌａｂの各成分値の、最大値と最小値の差の半分の値を取得して各距離ｌに対応付ける。図４に示す例では、近似曲線Ｔ３が上記最大値を与え、近似曲線Ｔ１が上記最小値を与えるので、図に示すように、各距離ｌ（ｌ１、ｌ２、ｌ３、・・・ｌｎ）において、これらの曲線上のａ値の差が取られ、その半分の値がａ１、ａ２、ａ３、・・・ａｎが、それぞれ、ｌ１、ｌ２、ｌ３、・・・ｌｎに対応付けられる。同様のことを、距離ｌとＬ及び距離ｌとｂの関係を示すグラフにおいても実行する。
【００３５】
各距離（ｌ１、ｌ２、ｌ３、・・・ｌｎ）をｌｉで、上記対応付けられる各成分の値をＬｉ、ａｉ、ｂｉで表すと、上記処理の結果、各ｌｉにＬｉ、ａｉ、ｂｉが対応付けられることになる。そして、各ｌｉについて、対応付けられるＬｉ、ａｉ、ｂｉから下記式により、Ｗｉ（１次色領域の幅）を求める。
【００３６】
Ｗｉ＝（Ｌｉ２＋ａｉ２＋ｂｉ２）１／２
そして、この求められたｌｉとＷｉの関係を前述した中心線ＣＬに対応付ける。すなわち、中心線ＣＬ上におけるＷＰからの距離がｌｉである点における１次色領域Ｓの幅をＷｉとする。図３には、１点についてその様子が例示されている（図中のｌとＷ）。そして、このＷｉは、距離がｌｉにおける中心線ＣＬの法線方向に向かう距離であり、距離がｌｉである中心線ＣＬ上の点から上記法線方向Ｗｉ内の範囲（上記法線方向をなす平面における、距離がｌｉである中心線ＣＬ上の点を中心とした半径Ｗｉの円の範囲）を上記１次色領域Ｓの領域とする。この範囲を中心線ＣＬ上に順次連ねることにより、１次色領域Ｓが定義される。図３の例では、中心線ＣＬを中心として太さの変化するチューブ状の領域Ｓが定義されたことになる。
【００３７】
このようにして求めた、１次色領域Ｓを定義する情報（中心線ＣＬと当該線上の各点における幅Ｗ）と中心線ＣＬ上に割り付けられた前記階調値の情報を、前記補正処理用データとしてＲＯＭ２２に格納する。
【００３８】
なお、上記定義した１次色領域Ｓは、ＷＰの周辺領域を含めないようにしてもよい。図３に示す例では、ｘで示す領域に含まれる部分は１次色領域Ｓから除くようにしている。
【００３９】
また、上記補正処理用データの生成と格納（登録）は、補正処理を必要とする各色について行なわれる。プリンタ部３０では、ＣＭＹＫの記録剤（トナー）が用いられるので、例えば、ＹとＫについて当該補正処理用データの生成と格納（登録）を行なっておく。
【００４０】
次に、本複写装置１の画像処理部２０で行なわれる、複写処理時の処理内容について、上記補正処理を中心に説明する。図５は、当該複写処理時の処理手順を例示したフローチャートである。
【００４１】
まず、原稿の画像データ（スキャナ入力データ）がスキャナ部１０から入力される（ステップＳ１）。次に、入力されるデータは、前述したように、各画素がＲＧＢの各階調値を有する形式をしているので、このＲＧＢでの色表現を色彩値（Ｌａｂ）での表現に変換する（ステップＳ２）。かかる変換処理には、前述した色変換テーブル（１）が用いられ、変換処理の結果、画像データは、各画素がＬａｂの各値を有する形式となる。
【００４２】
その後、画像処理部２０は、当該画像データをプリンタ部３０用のデータ（プリンタ出力データ）に変換する（ステップＳ３）。すなわち、Ｌａｂでの色表現をＣＭＹＫでの色表現に変更する。当該処理には、前述した色変換テーブル（２）が用いられ、変換処理の結果、画像データは、各画素がＣＭＹＫの各階調値を有する形式となる。
【００４３】
次に、本複写装置１での特徴であるプリンタ出力データの補正処理を実行する。当該処理では、まず、前記Ｌａｂ形式の画像データを用いて、各画素の色がＬａｂ３次元色空間のどこに位置するかをチェックする。具体的には、前記定義した１次色領域Ｓの内部に位置するか否かをチェックする。前述したように、１次色領域ＳがＹとＫについて登録されているなど複数ある場合には、各領域Ｓについてチェックする。
【００４４】
当該チェックは、対象としている画素の位置から前述した１次色領域Ｓの中心線ＣＬへの垂線の長さと、当該垂線の下ろされた中心線ＣＬ上の点における前記幅Ｗとを比較し、垂線の長さの方が短ければ、当該画素の位置が１次色領域Ｓの内部であると判断する。
【００４５】
図６は、プリンタ出力データの補正処理を説明するための図である。図６には、図３に示した１次色領域Ｓの一部分を示している。図６に示す例において、上記画素の色の位置が、ｐ１で示す位置であった場合には、上記垂線の長さがｗ１であり、上記幅ＷがＷ１であるので、当該画素は１次色領域Ｓ内に位置すると判断される。なお、図中において、ｙは１次色領域Ｓの外面を示している。
【００４６】
このように、画素の位置が１次色領域Ｓの内部に位置すると判断された場合には、当該画素の位置を、前記垂線の先である中心線ＣＬ上の点の位置へ移動させる。図６の例では、ｐ１からｐ１０へ移動させる。そして、この画素の、前記生成されたプリンタ出力データにおけるＣＭＹＫの階調値を、当該移動後の中心線ＣＬ上の点に割り付けられている当該１次色の階調値に変更する。当該１次色がＫの場合には、例えば、（１０、０、５、９８）のプリンタ出力データが、（０、０、０、１００）に変更される。
【００４７】
すなわち、画素の色が１次色領域Ｓの内部に位置する場合には、当該画素の色が出力時にその１次色のみで表現されるように画像データが補正される。なお、上記判断と階調値の補正には、前記生成して登録しておいた補正処理用データが用いられるが、前記垂線を下ろした先の中心線ＣＬ上の点について、幅Ｗ、階調値が割り付けられていない場合には、その点の前後の点の値から補間して値を求める。
【００４８】
このようにして、登録されている１次色領域Ｓのいずれかに入る画素については、その１次色で表現されるように補正が行なわれる。
【００４９】
一方、前記判断において、前記垂線の長さの方が前記幅Ｗよりも長い場合には、画素の位置が１次色領域Ｓの外部に位置すると判断する。そして、この場合には、更に、１次色領域Ｓの周辺領域に位置するか否かを判断する。図６に示す例において、ｚで示す線がこの周辺領域の外面を示しており、当該領域についてもその情報が予めＲＯＭ２２に登録されている。当該領域についても、１次色領域Ｓと同様に、中心線ＣＬ上の各点とそれらの点における幅の形式で情報が格納されている。なお、当該周辺領域は、１次色領域Ｓ内の色を１次色にしてしまうことによる色の不連続性を緩和するために設けられるものであり、その大きさは、１次色領域Ｓに基づいて適宜決定される。
【００５０】
上記周辺領域に位置するか否かの判断は、前述した画素の位置からの中心線ＣＬへの垂線の長さと、上記周辺領域を定義する幅の比較により行なわれる。比較の結果、当該垂線の長さの方が長い場合には、周辺領域の外部に位置すると判断して、当該画素については補正処理を行なわない。すなわち、前記生成されたプリンタ出力データを変更しない。
【００５１】
一方、前記垂線の長さの方が短い場合には、周辺領域の内部に位置すると判断して、当該画素の位置を、前記垂線上に、中心線ＣＬに近づける方向へ移動させる。図６に示す例では、ｐ２で示す位置にある画素が周辺領域の内部に位置しており、この場合には、当該画素の位置をｐ２０まで移動させるようにしている。
【００５２】
周辺領域の内部に位置している場合の移動量は、様々な方法で決定することが可能であるが、前記垂線の長さをｗ、１次色領域Ｓの幅をＷ、周辺領域の幅をＷ０とすると、例えば、下記の式によって決定することができる。
【００５３】
移動量＝（１−（ｗ−Ｗ）／（Ｗ０−Ｗ））×ｗ
図６の例では、ｐ２とｐ２０の距離は、（１−（ｗ２−Ｗ２）／（Ｗ２０−Ｗ２））×ｗ２となる。
【００５４】
このように移動が終了すると、次に、移動後の位置に対応するＬａｂの各座標値を取得し、当該Ｌａｂ値を前記色変換テーブル（２）でＣＭＹＫ形式に変換する。そして、当該ＣＭＹＫの各階調値を、当該画素のプリンタ出力データとする。すなわち、生成されていたプリンタ出力データを、位置の移動後に得られたＣＭＹＫの各階調値に置き換える補正を行なう。
【００５５】
このような周辺領域における補正処理は、１次色領域Ｓが用意される各１次色について実行される。
【００５６】
以上のようにしてプリンタ出力データの補正が実行されると、画像処理部２０は、補正処理後のプリンタ出力データをプリンタ部３０へ出力する（ステップＳ５）。補正後のデータを受け取ったプリンタ部３０は、当該データに従って所定の印刷媒体へ印刷処理を実行するが、前記１次色領域Ｓ内に位置した画素については、前記補正により、その１次色の記録剤（トナー）のみで印刷がなされることになる。
【００５７】
以上説明したように、本実施の形態例に係る複写装置１では、複数種類の条件で印刷された１次色の標本サンプル（チャート２）の画像を読み取り、これらの色彩値に基づいて当該１次色の１次色領域Ｓを定義しておき、複写処理時には、この１次色領域Ｓ内の色について１次色のみで出力がなされるように画像データを補正する。そして、当該１次色領域Ｓは、その領域の中心線ＣＬと中心線からの幅Ｗを用いて、前記複数の標本サンプルの色彩値が含まれるように定義される。従って、同じ１次色の原稿について、その印刷媒体等の印刷条件が様々であっても、常に、出力時にはその１次色での複写が可能であり、他の色が混ざることによる濁りがなく、見栄えの良い複写を実行することができる。
【００５８】
特に、濁りの目立つ黒色や黄色について上記１次色領域Ｓを定義した補正処理を行なうことにより、大きな効果を得ることができる。
【００５９】
また、上記１次色領域Ｓの周辺領域にある色については、その１次色へ近づける変更を行っているので、上記１次色領域Ｓ内の色を１次色にしてしまう処理による色の不連続性を緩和させることができる。
【００６０】
また、前述のように、１次色領域ＳからＷＰの周辺を除くようにすることにより、ＷＰ周辺の色の補正を行なわないようにすることができる。ＷＰ周辺の淡い色では、補正を行なうことにより色調が変動する恐れがあるが、１次色領域ＳからＷＰの周辺を除くことにより、そのデメリットを防ぐことができる。
【００６１】
なお、本実施の形態例では、画像処理部２０での処理をプログラムに従ったＣＰＵ２１の動作で実行したが、これらの処理をＡＳＩＣ等で実行するようにしても良い。
【００６２】
本発明の保護範囲は、上記の実施の形態に限定されず、特許請求の範囲に記載された発明とその均等物に及ぶものである。
【図面の簡単な説明】
【００６３】
【図１】本発明を適用した画像処理装置を備える複写装置の実施の形態例に係る構成図である。
【図２】チャート２を例示した図である。
【図３】補正処理用データを説明するための図である。
【図４】距離ｌとａの関係を示すグラフを例示した図である。
【図５】複写処理時の処理手順を例示したフローチャートである。
【図６】プリンタ出力データの補正処理を説明するための図である。
【符号の説明】
【００６４】
１  複写装置、  ２  チャート、  ３  パッチ、  １０  スキャナ部、  ２０  画像処理部、２１  ＣＰＵ、  ２２  ＲＯＭ、  ２３  ＲＡＭ、  ３０  プリンタ部
【図１】
0004941238.tif 000002
【図２】
0004941238.tif 000003
【図３】
0004941238.tif 000004
【図４】
0004941238.tif 000005
【図５】
0004941238.tif 000006
【図６】
0004941238.tif 000007